(57)【特許請求の範囲】
【請求項１】
相手側通話装置との間で通話を行う通話装置であって、
施工面に設けられた施工孔内に後部が挿入される器体を備える埋込モジュールと、
前記埋込モジュールが備える被係合部と係合する係合部を備え前記埋込モジュールの前面に着脱自在に取着されるケースを備える露出モジュールとを備え、
前記埋込モジュールと前記露出モジュールとは、互いの電気的接続を行う端子部をそれぞれ備え、
前記埋込モジュールは、前記相手側通話装置との間で送受信される信号を伝送する伝送部と、前記露出モジュールに電源を供給する電源部と、別に設置されるセンサ装置が出力したセンサ信号が入力されるセンサ信号入力部と、センサ信号が前記センサ信号入力部に入力されると設備機器を操作する操作信号を出力する操作信号出力部とを備え、
前記露出モジュールは、音声の入出力を行う音声入出力部と、前記音声入出力部および前記伝送部に接続され音声信号の入出力を行う信号処理部とを備え、
前記器体には、一対の取付板が前面に沿う形で互いに離れる向きに前端部からそれぞれ延設され、各々の前記取付板は、前記器体を施工面に固定する固定ねじが挿通される挿通孔をそれぞれ備え、
前記ケースは、前記器体の前面及び全ての前記挿通孔を覆う形で前記埋込モジュールに取着され、
前記センサ装置からのセンサ信号が前記センサ信号入力部に入力されると、前記音声入出力部より音声を出力し且つ前記操作信号出力部より操作信号を出力して前記設備機器を作動させており、
前記ケースは、前記埋込モジュールに取着される基本ケースと、前記基本ケースに隣接して接続される増設ケースとからなり、
前記基本ケースと前記増設ケースとは、前記基本ケースと前記増設ケースとを接続する嵌合部と、前記基本ケースおよび前記増設ケースにそれぞれ内蔵された回路間の電気的接続を行うコネクタ部とをそれぞれ備え、
前記基本ケースの前記嵌合部は、前記増設ケース側に突出し且つ前記増設ケース側に行くほど幅が広くなるような嵌合凸部からなり、前記増設ケースの前記嵌合部は、前後方向に沿って形成され前記嵌合凸部が嵌まる嵌合溝からなり、
前方から前記嵌合凸部を前記嵌合溝に嵌めることで、前記基本ケースと前記増設ケースとが接続されることを特徴とする通話装置。
【請求項２】
前記露出モジュールは操作スイッチを備え、
前記ケースは、前記操作スイッチを操作するための操作釦が備える被結合部と結合することにより着脱自在に前記操作釦を取着可能とする結合部を備えることを特徴とする請求項１に記載の通話装置。
【発明の詳細な説明】
【技術分野】
【０００１】
本発明は、施工面内に後部が埋め込まれる埋込モジュールと埋込モジュールの前面に取着される露出モジュールとからなり、相手側通話装置との間で通話が可能な通話装置に関するものである。
【背景技術】
【０００２】
従来から、住宅内の施工面（壁）に取り付けられて、相手側通話装置との間で通話を行う通話装置が提供されている。通話装置は、相手側通話装置とともにインターホンシステムを構築する。
【０００３】
この種の通話装置においては、図１１に示すように器体１０の後部を壁内に埋め込む形で壁に取り付けることにより、通話装置の壁面からの突出量を小さくした埋込型の通話装置が提供されている。
【０００４】
通話装置の壁への取付は、器具配線用のスイッチボックス３１と固定ねじとを用いて行われる。具体的には、壁に設けられた施工孔３２の後方に固定されるスイッチボックス３１は、複数個の固定ねじがそれぞれ螺入される複数個のねじ受孔３１ａを備えている。
【０００５】
一方、通話装置は、器体１０の側面から器体１０の前面に沿ってそれぞれ離れる向きに延設される一対の取付板１３を備え、各取付板１３には、各固定ねじ（図示せず）がそれぞれ挿通される挿通孔１３ａがそれぞれ貫設されている。
【０００６】
固定ねじは、通常、化粧部材で覆い隠される（例えば、特許文献１参照）。図１１は、特許文献１に記載された通話装置の概略図である。図１１に示す構成では、挿通孔１３ａの前方には上下２個の化粧部材３３が配設され、各化粧部材３３により各固定ねじはそれぞれ覆い隠される。
【特許文献１】特開２００３−６９６８１号公報
【発明の開示】
【発明が解決しようとする課題】
【０００７】
上述のように、化粧部材３３を用いて固定ねじを覆い隠す通話装置においては、化粧部材３３が通話装置の前面の一部を占有するから、その分、釦などを配置できる面積が減り、また、部品の収容に使用できる空間が減る。すなわち、化粧部材が占有する空間は、通話装置の設計において有効に利用することができないという問題があった。
【０００８】
また、機能の変更などのため既に壁に取り付けられた通話装置を他の通話装置に交換することが想定されるところ、通話装置は複数個の固定ねじにより壁に取り付けられるとともに固定ねじの前方には化粧部材が配設されているから、通話装置の当該交換作業に手間がかかるという問題があった。
【０００９】
本発明は上記事由に鑑みて為されたものであり、その目的は、通話装置の設計における制限を従来構成よりも緩和するとともに、機能の変更に伴う通話装置の交換作業を容易にした通話装置を提供することにある。
【課題を解決するための手段】
【００１０】
請求項１の発明は、相手側通話装置との間で通話を行う通話装置であって、施工面に設けられた施工孔内に後部が挿入される器体を備える埋込モジュールと、埋込モジュールが備える被係合部と係合する係合部を備え埋込モジュールの前面に着脱自在に取着されるケースを備える露出モジュールとを備え、埋込モジュールと露出モジュールとは、互いの電気的接続を行う端子部をそれぞれ備え、埋込モジュールは、相手側通話装置との間で送受信される信号を伝送する伝送部と、露出モジュールに電源を供給する電源部と、別に設置されるセンサ装置が出力したセンサ信号が入力されるセンサ信号入力部と、センサ信号がセンサ信号入力部に入力されると設備機器を操作する操作信号を出力する操作信号出力部とを備え、露出モジュールは、音声の入出力を行う音声入出力部と、音声入出力部および伝送部に接続され音声信号の入出力を行う信号処理部とを備え、器体には、一対の取付板が前面に沿う形で互いに離れる向きに前端部からそれぞれ延設され、各取付板は、器体を施工面に固定する固定ねじが挿通される挿通孔をそれぞれ備え、ケースは、器体の前面及び全ての挿通孔を覆う形で埋込モジュールに取着され、センサ装置からのセンサ信号がセンサ信号入力部に入力されると、音声入出力部より音声を出力し且つ操作信号出力部より操作信号を出力して設備機器を作動させており、ケースは、埋込モジュールに取着される基本ケースと、基本ケースに隣接して接続される増設ケースとからなり、基本ケースと増設ケースとは、基本ケースと増設ケースとを接続する嵌合部と、基本ケースおよび増設ケースにそれぞれ内蔵された回路間の電気的接続を行うコネクタ部とをそれぞれ備え、基本ケースの嵌合部は、増設ケース側に突出し且つ増設ケース側に行くほど幅が広くなるような嵌合凸部からなり、増設ケースの嵌合部は、前後方向に沿って形成され嵌合凸部が嵌まる嵌合溝からなり、嵌合溝に対して前方から嵌合凸部を嵌めることで、基本ケースと増設ケースとが接続されることを特徴とする。
【００１３】
請求項２の発明では、請求項１の発明において、露出モジュールは操作スイッチを備え、ケースは、操作スイッチを操作するための操作釦が備える被結合部と結合することにより着脱自在に操作釦を取着可能とする結合部を備えることを特徴とする。
【発明の効果】
【００１４】
請求項１の構成によると、埋込モジュールは電源部と伝送部とを備え、露出モジュールは埋込モジュールと電気的に接続し、露出モジュールは、埋込モジュールから電源の供給を受けることができるとともに埋込モジュールを介して相手側通話装置と信号の送受信を行うことができるから、露出モジュールを交換することで通話装置の機能の変更を行うことができる。また、露出モジュールは、埋込モジュールに対して着脱自在であるから、埋込モジュールと露出モジュールとが一体の従来構成に比べ通話装置の機能の変更を行うための交換作業が容易になるという利点がある。
【００１５】
また、ケースは器体の前面と全ての挿通孔とを覆っているから、固定ねじの前方に化粧部材を配設する従来構成に比べ化粧部材が占有していた空間の分だけ釦の配設や部品の収容に使用できる空間が大きく、通話装置の設計における制限が従来構成よりも緩和されるという利点がある。
【００１６】
さらに、センサ装置が出力したセンサ信号をセンサ信号受信部が受信すると、通話装置は、音声による報知を行うとともに操作信号を出力して設備機器を作動させるから、音声に加え設備機器の作動により報知を行うことができ、音声のみの報知に比べ周囲への報知効果を高めることができる。
【００１７】
また、基本ケースに増設ケースを接続して露出モジュールの機能の拡張や形状を変えることができるから、種々の機能および形状の露出モジュールを基本ケースと増設ケースとの組み合わせで形成することができるという利点がある。
【００１８】
また、基本ケースは単独で露出モジュールのケースとなることもできるという利点が有る。
【００１９】
請求項２の構成では、操作釦はケースに着脱自在に取着することができるから、ケースは、操作釦を備える露出モジュールのケースとしても使用することができるし、操作釦を備えない露出モジュールのケースとしても使用することができるという利点がある。
【発明を実施するための最良の形態】
【００２０】
以下の各実施形態では、宅内の施工面（壁）に取り付けられ、相手側通話装置（図示せず）とともにインターホンシステムを構築し、相手側通話装置との間で通話が可能な通話装置を一例として説明する。
【００２１】
相手側通話装置は、マイクロホンおよびスピーカを備える音声入出力部を備え、通信線（図示せず）により本実施形態の通話装置と接続される。
【００２２】
（実施形態１）
本実施形態の通話装置は、図２に示すように器体１０を備える埋込モジュール１と、器体１０の一表面側に取着されるケース２０を備える露出モジュール２と、露出モジュール２の周囲を包囲する形で配設される枠状の化粧プレートＰとを備える。以下では、器体１０においては前記一表面側を「前」、前記一表面の裏面側を「後」とし、ケース２０については器体１０側を「後」、反対側を「前」として説明する。
【００２３】
器体１０は、図１に示すように通信線（図示せず）を外部より接続することができる通信線接続部と、商用電源供給用の電源線（図示せず）を外部より接続できる電源線接続部とを備える。
【００２４】
埋込モジュール１は、通信線と電源線とが接続された後、器具配線用のスイッチボックス３１（図１１参照）と複数個の固定ねじ（図示せず）とを用いて壁に取り付けられる。具体的には、壁に開設された施工孔３２（図１１参照）の後方に固定されるスイッチボックス３１は、各固定ねじがそれぞれ螺入される複数個のねじ受孔３１ａを施工孔３２の開口面の上下両端部に相当する位置に備える。一方、埋込モジュール１は、前端部から器体１０の前面に沿って互いに離れる向きに延設された一対の取付板１３を備える。各取付板１３には、固定ねじが挿通される挿通孔１３ａが前後方向にそれぞれ貫設される。
【００２５】
器体１０の後部を施工孔３２内に挿入した後、固定ねじにより器体１０はスイッチボックス３１に固定される。すなわち、埋込モジュール１は、後部が壁内に埋め込まれる形で壁に取り付けられる。
【００２６】
壁に取り付けられた埋込モジュール１の前面には、露出モジュール２が着脱自在に取着される。器体１０を壁に取り付けた状態において下側になる取付板１３の前面には、被係合部として、先端が上を向く複数個の鉤片１３ｂが突設され、上側の取付板１３の左右両部には、被係合部として、一対の切欠部１３ｂが設けられる。
【００２７】
一方、ケース２０の後面には、図３に示すように係合部として、各鉤片１３ｂがそれぞれ差し込まれる複数個の引掛孔２１と、各切欠部１３ｂにおいて上側の取付板１３に引っ掛かる爪部２２ａを先端部にそれぞれ備える一対の係合突起２２が突設される。
【００２８】
各鉤片１３ｂを各引掛孔２１にそれぞれ差し込んだ後、爪部２２ａを上側の取付板１３に引掛けることにより、ケース２０は器体１０の前面に着脱自在に取着される。ここに、器体１０とケース２０とは、埋込モジュール１と露出モジュール２との間の電気的接続を行うための端子部をそれぞれ備える。すなわち、ケース２０は、後面側において露出する信号および電源用の接触端子部２３を備え、器体１０は、図１に示すように前面側において露出する相手側接触端子部１４を備える。ケース２０を器体１０の前面に取着すると、接触端子１４と相手側接触端子２３とが接触し、露出モジュール２と埋込モジュール１とは電気的に接続する。
【００２９】
ケース２０の上下方向の寸法は、上下の取付板１３にそれぞれ形成された挿通孔１３ａ間の寸法よりも大きく形成され、また、ケース２０の左右方向の寸法は器体１０の左右方向の寸法以上で形成され、器体１０の前面に取着されたケース２０は、器体１０の前面を覆い隠すとともに挿通孔１３ａを覆い隠す。
【００３０】
したがって、挿通孔１３ａの前方に化粧部材を配設した従来構成に比べ、ケース２０が大きくなっている。つまり、化粧部材が占有していた空間もケース２０の一部としている。結果的に、釦などを配設できる面積と部品を収容できる空間が従来構成よりも大きく、通話装置の設計における制限が緩和されている。
【００３１】
また、ケース２０により固定ねじは覆い隠されるから、固定ねじを覆い隠すための化粧部材が不要であり、化粧部材を取り付ける従来構成に比べ部材数が減る。
【００３２】
次に、本実施形態の内部回路について説明する。図４に示すように、埋込モジュール１は、電源接続部１２に接続され直流電源などの電源を露出モジュール２に供給する電源部５１と、通信線接続部１１に接続され信号を伝送する伝送部５２とを備える。露出モジュール２は、マイクロホン（図示せず）およびスピーカ（図示せず）を備える音声入出力部４１と、音声入出力部４１および伝送部５２とに接続され音声信号の入出力を行う信号処理部４２とを備える。また、本実施形態の通話装置は、各回路部の制御などを行う制御部４３を備える。制御部４３には、制御信号処理部４４と、スイッチ制御部４５と、発光ダイオード制御部４６とが含まれる。
【００３３】
発光ダイオード制御部４６は、操作釦６０に開設された表示窓３４（図７参照）の後方に配設される発光ダイオードを備える場合に、発光ダイオードの点灯、消灯を制御する。なお、発光ダイオード３４を備えない場合は、発光ダイオード制御部４６を備えない構成とすることもできる。
【００３４】
スイッチ制御部４５は、ケース２０の前面に配設された操作釦６０（図１参照）により操作される操作スイッチ２９（図９参照）からの入力を受けて、信号処理部４２の音声信号の入出力などを制御する。
【００３５】
本実施形態では、集合住宅などに設置される場合を想定しており、相手側通話装置とはデジタル信号を用いて通信を行う。相手側通話装置が送信する信号には、音声信号の他、ハンドシェイク用などの制御信号が含まれる。伝送部５２は、相手側通話装置が送信した信号を音声信号と制御信号とに分離し、音声信号を信号処理部４２に伝送し、制御信号を制御信号処理部４４に伝送する。制御信号を受けた制御信号処理部４４は、相手側通話装置との間のハンドシェイクなどのための制御を行う。
【００３６】
音声入出力部４１は、信号処理部４２から入力される音声信号を音声に変換し、また、音声を音声信号に変換して信号処理部４２に入力する。信号処理部４１は、入出力インターフェースを備え、音声信号の入出力を行う。なお、センサ信号入力部５３と操作信号出力部５４とアンテナ部４７とについては、実施形態２において説明する。
【００３７】
上述したように、埋込モジュール１は電源部５１および伝送部５２を備え、露出モジュール２への電源供給と信号の伝送を行う。したがって、通話装置において機能の変更を行う場合、当該機能に対応した露出モジュール２を埋込モジュール１に取着すればよい。ここに、上述したように露出モジュール２は埋込モジュール１に対して着脱自在である。したがって、化粧部材と固定ねじとを取り外して通話装置全体を交換する従来構成に比べ、通話装置の機能の変更に伴う交換作業が容易になる。なお、機能の変更の例としては、録音機能や映像表示機能の追加などが挙げられる。
【００３８】
（実施形態２）
本実施形態の通話装置は、内部回路および動作が実施形態１の通話装置と異なる。図４に示すように、露出モジュール２はアンテナ部４７を備え、制御部４３は、住宅に付設されたセンサ装置（図示せず）が送信したセンサ信号が入力されるセンサ信号入力部５３と、住宅に付設される設備機器（図示せず）を操作する操作信号を出力する操作信号出力部５４とを備える。
【００３９】
センサ装置の例としては、窓ガラス破壊検知センサや火災検知センサが挙げられ、設備機器の例としては照明器具が挙げられる。以下では、センサ装置を窓ガラス破壊センサとし、設備機器を照明器具とし、設備機器を無線で操作する無線通信型照明スイッチコントローラが宅内に設置されている場合について説明を行う。但し、これに限るものではない。
【００４０】
窓ガラス破壊センサは、窓ガラスの破壊を検知するとセンサ信号を出力する。センサ信号はアンテナ部４７で受信され、センサ信号入力部５３に入力される。制御部４３は、信号処理部４２を制御して音声信号を音声入出力部４１に入力し、「何者かが侵入しました」などの音声報知を行わせる。また、制御部４３は、センサ信号入力部５３にセンサ信号が入力されると、照明器具を操作するための操作信号を操作信号出力部５４より出力させる。操作信号はアンテナ部４７より無線通信型照明スイッチコントローラに送信される。操作信号を受信した無線通信型照明スイッチコントローラは照明器具を点灯させる。
【００４１】
上述のように、本実施形態では音声報知を行うとともに照明器具を点灯させ、周囲に異常などを報知することができる。したがって、音声のみによる報知に比べ周囲への報知効果を高めることできる。
【００４２】
なお、本実施形態の通話装置に、受信したセンサ信号に応じた異報信号を他の居室などに設置された増設親機のような相手側通話装置に送信する機能を付加することもできる。異報信号を受信した当該相手側通話装置が音声報知や照明器具の点灯を行うことで、他の居室においても異常などを報知することが可能となる。
【００４３】
また、他の居室などに設置された相手側通話装置が送信した異報信号を受信した場合においては、音声報知を行うとともに設備機器を操作して周囲に報知する構成としてもよい。例えば、他の居室に設置された相手側通話装置が、火災検知センサからのセンサ信号を受信し、本実施形態の通話装置に当該センサ信号に応じた異報信号を送信した場合、異報信号を受信した通話装置は、「他の部屋で火事です」などの音声報知を行うとともに照明器具を点灯させる。
【００４４】
なお、本実施形態では通話装置はアンテナ部４７を備え、センサ装置などと無線で通信する構成を例示したが、これに限るものではなく、有線で通信を行う構成であってもよい。
【００４５】
本実施形態のその他の構成は、実施形態１の構成と同じである。
【００４６】
（実施形態３）
本実施形態では、図５に示すように露出モジュール２が、ケース２０（基本ケース）とケース２０の側方に隣接して接続される増設ケース２５とを備えている点が、実施形態１の通話装置と異なる。
【００４７】
ケース２０と増設ケース２５とは嵌合部をそれぞれ備え、隣接して接続することが可能となっている。本実施形態では、嵌合部は、図６に示すようにケース２０の側面に突設される嵌合凸部２６と、増設ケース２５の側面に凹設され嵌合凸部２６が嵌まる嵌合溝２７とである。嵌合凸部２６は先端ほど幅が広くなる形で形成され、嵌合溝２７は、前面方向の全長に亘って形成される。
【００４８】
また、ケース２０および増設ケース２５は、それぞれに内蔵された回路間の電気的接続を行うためのコネクタ部３５を後面にそれぞれ備える。本実施形態では、各コネクタ部３５はコネクタ部３５と接続可能な一対の相手側コネクタ部を備えるケーブル（図示せず）で接続される。
【００４９】
露出モジュール２の周囲には、露出モジュール２を包囲する形で枠状の化粧プレートＰが配設される。
【００５０】
増設ケース２５は、通話装置に他の機能を付加するために使用することができる。具体的には、増設ケース２５内に前述したアンテナ部４４（図４参照）を内蔵し、実施形態２に記載した機能を付加することも可能であるし、無線通信型照明スイッチコントローラを内蔵して照明器具の操作機能を付加することも可能である（図７参照）。
【００５１】
また、各コネクタ部３５はケーブルにより接続しているから、増設ケース２５に音声入出力部４１や信号処理部４２などの通話のための回路を内蔵し、増設ケース２５において通話機能を実現することもできる。
【００５２】
上述したように、本実施形態ではケース２０に増設ケース２５を接続することにより、通話機能と種々の他の機能とを組み合わせた複数種類の露出モジュール２を実現することができる。したがって、通話機能のみを備える露出モジュール２、通話機能と照明スイッチの機能を備える露出モジュール２など組み合わせごとに露出モジュール２のケースを製造する場合に比べ、開発費や製造コストを安くすることができる。
【００５３】
なお、増設ケース２５に被係合部（引掛孔２１および係合突起２２）と端子部（接触端子部２３）を形成した場合、増設ケース２５を本体モジュール１に取着して単独で使用することが可能となる。また、ケース２０は、本体モジュール１に取着して単独で使用することもできるし、増設ケース２５を接続する基本ケースとして使用することもできる。
【００５４】
本実施形態のその他の構成は、実施形態１の構成と同じである。
【００５５】
（実施形態４）
本実施形態の通話装置は、操作釦６０が着脱自在となっている点が実施形態１の通話装置と異なる。ケース２０は、操作釦６０が備える被結合部と結合することにより操作釦６０を着脱自在に取着可能な結合部を備える。本実施形態では、被結合部は、図８に示すように操作釦６０の後面から突設される複数個の結合突起６１であり、結合部は、図９に示すようにケース２０の前壁に貫設され各結合突起６１がそれぞれ挿通される複数個の結合孔２８である。各結合突起６１は、ケース２０の前壁に引っ掛かる引掛爪６１ａを先端部にそれぞれ備える。
【００５６】
各結合孔２８に各結合突起６１をそれぞれ挿通し、各引掛爪６１ａをケース２０の前壁にそれぞれ引っ掛けることにより、操作釦６０をケース２０に着脱自在に取着することができる。
【００５７】
図８に示すように、操作釦６０の後面には操作突起６２が突設される。図９に示す操作スイッチ２９がケース２０に配設され、また、図１０（ａ）に示すように操作釦６０が操作スイッチ２９の前方においてケース２０に取着されると、操作突起６２によるばね部２９ａの操作が可能となる。すなわち、操作釦６０によりスイッチ２９を操作することができる。
【００５８】
ケース２０に操作スイッチ２９が配設されない場合は、図１０（ｂ）に示すカバー体７０をケース２０に取着することができる。
【００５９】
上述のように、ケース２０は、操作釦６０を備える露出モジュール２のケースとして用いることもできるし、操作釦６０を備えない露出モジュール２のケースとしても用いることができる。
【００６０】
なお、操作釦６０が不要な場合とは、例えば、実施形態３の通話装置のようにケース２０に増設ケース２５が接続され、図７に示すように一方のケースにのみ操作釦６０が配設されている場合が挙げられる。
【００６１】
本実施形態のその他の構成は、実施形態１の構成と同じである。
【図面の簡単な説明】
【００６２】
【図１】実施形態１の分解斜視図である。
【図２】実施形態１の斜視図である。
【図３】実施形態１の露出モジュールの背面側の斜視図である
【図４】実施形態１のブロック図である。
【図５】実施形態３の斜視図である。
【図６】実施形態３のケースの平面図である。
【図７】実施形態４の正面図である。
【図８】実施形態４の操作釦の平面図であり、（ａ）は側面図、（ｂ）は正面図である。
【図９】実施形態４のケースの平面図である。
【図１０】実施形態４の正面図であり、（ａ）は操作釦を取着した場合の図で、（ｂ）はカバー体を取着した場合の図である。
【図１１】従来例を示す分解斜視図である。
【図１２】従来例を示す平面図であり、（ａ）は正面図、（ｂ）は側面図である。
【符号の説明】
【００６３】
１  埋込モジュール
２  露出モジュール
１０  器体
１３  取付板
１３ａ  挿通孔
１３ｂ  鉤片（被係合部）
１３ｃ  切欠（被係合部）
１５  相手側接触端子部（端子部）
２０  ケース
２１  引掛孔（係合部）
２２  係合突起（係合部）
２３  接触端子部（端子部）
２５  増設ケース
２６  嵌合凸部（嵌合部）
２７  嵌合溝（嵌合部）
２８  結合孔（結合部）
２９  操作スイッチ
３５  コネクタ部
４１  音声入出力部
４２  信号処理部
５１  電源部
５２  伝送部
５３  センサ信号入力部
５４  操作信号出力部
６０  操作釦
６１  結合突起（被結合部） 
【図１】
0005385547.tif 000002
【図２】
0005385547.tif 000003
【図３】
0005385547.tif 000004
【図４】
0005385547.tif 000005
【図５】
0005385547.tif 000006
【図６】
0005385547.tif 000007
【図７】
0005385547.tif 000008
【図８】
0005385547.tif 000009
【図９】
0005385547.tif 000010
【図１０】
0005385547.tif 000011
【図１１】
0005385547.tif 000012
【図１２】
0005385547.tif 000013